(57)【要約】【課題】  紙片を粘着テープの先端に確実に接着させることができ、粘着テープの先端が紙片からはみ出すこと簡易に防止できる粘着テープ切断装置を提供すること。【解決手段】  圧着板７０を指で押して回転させ、退避状態から圧着状態に回転変位させることにより、紙片収納箱４０が上昇して紙片ＴＳ１が貼付位置まで上昇し、紙片収納箱４０の上端に押されてテープ切断部６５が切断位置から退避位置に移動する。これにより、圧着板７０とテープ切断部６５との干渉が回避され、圧着板７０と紙片収納箱４０との間に先端部分２ａと紙片ＴＳ１とを上下から挟んで圧着することができ、先端部分２ａに最端部２ｄからはみ出すように紙片ＴＳ１を固定することができる。【選択図】  図１
2006219213.tif 000002
【特許請求の範囲】
【請求項１】
ロール状の粘着テープを回転自在に保持するテープ保持部と、
前記テープ保持部から前記粘着テープの引き出し方向において、前記粘着テープの先端部分の粘着面を支持するように配置される支持部と、
剥離促進用の複数の紙片を保持して当該複数の紙片のうち１枚の紙片を裏面側から支持して端部に露出させるとともに、当該１枚の紙片を前記支持部に対して前記引き出し方向に近接する貼付位置に供給可能である紙片供給部と、
前記支持部に対して前記引き出し方向に近接する切断位置に配置可能であるとともに、当該切断位置において前記粘着テープの切断を許容するテープ切断部と、
前記テープ切断部との干渉を避けるように動作することによって、前記貼付位置に支持された前記１枚の紙片と当該１枚の紙片に対向して配置される前記粘着テープの先端部分とを密着させる密着手段と、
を備える粘着テープ切断装置。
【請求項２】
前記紙片供給部は、前記複数の紙片を束状に装填する容器部と、前記複数の紙片を前記端部に設けた開口の方向に付勢する付勢部材と、前記端部の開口の周囲に形成されて前記複数の紙片の最上層に位置する前記１枚の紙片を取り出し可能に係止する紙片係止部とを有する紙片収納箱を備えることを特徴とする請求項１記載の粘着テープ切断装置。
【請求項３】
前記紙片供給部は、前記複数の紙片を束状に装填する紙片収納箱と、前記端部に設けた前記紙片収納箱の開口の周囲に形成されて前記複数の紙片の最上層に位置する前記１枚の紙片を取り出し可能に係止する紙片係止部と、前記紙片収納箱中の前記複数の紙片を前記端部の開口の方向に付勢する付勢部材とを備えることを特徴とする請求項１記載の粘着テープ切断装置。
【請求項４】
前記紙片収納箱は、着脱可能であることを特徴とする請求項２及び請求項３のいずれか一項記載の粘着テープ切断装置。
【請求項５】
前記密着手段によって前記１枚の紙片と前記粘着テープの先端部分とを密着させる際に、前記テープ切断部と前記紙片供給部の端部との干渉を回避するべく、前記テープ切断部を前記貼付位置と略重複している前記切断位置から前記引き出し方向にある退避位置に変位可能にする可動部材をさらに備えることを特徴とする請求項１から請求項４のいずれか一項記載の粘着テープ切断装置。
【請求項６】
前記可動部材は、前記退避位置に変位した前記テープ切断部を前記切断位置に戻す力を付与する復元手段を有し、前記１枚の紙片を前記貼付位置に配置する際の前記紙片供給部の動作に応じて前記テープ切断部が前記復元手段に抗して前記切断位置から前記退避位置に変位することを許容することを特徴とする請求項５記載の粘着テープ切断装置。
【請求項７】
前記密着手段は、前記粘着テープの先端部分を挟んで前記紙片供給部の前記端部によって前記貼付位置に支持された前記１枚の紙片に対向するとともに前記先端部分を非粘着面側から押圧可能な押圧部材と、当該押圧部材に連動して前記１枚の紙片を支持する前記端部を前記先端部分の粘着面に付勢する連動部材とを備えることを特徴とする請求項５記載の粘着テープ切断装置。
【請求項８】
前記テープ切断部は、前記紙片供給部の端部上方に前記１枚の紙片に近接する状態で立設されており、前記密着手段は、前記前記粘着テープの先端部分を挟んで前記テープ切断部を避けるように前記紙片供給部の端部に対向するとともに前記先端部分を非粘着面側から押圧可能な押圧部材を有することを特徴とする請求項１記載の粘着テープ切断装置。
【発明の詳細な説明】
【技術分野】
【０００１】
本発明は、粘着テープの剥離促進用の紙片を簡易に装着させることができる粘着テープ切断装置に関するものである。
【背景技術】
【０００２】
粘着テープ切断装置として、紙片を積層して収納するカートリッジをカッター近傍に備えるものが公知となっている（特許文献１、２、３、４、５参照）。
【０００３】
また、別の粘着テープ切断装置として、テープ状の紙片を切断しながら供給するものも公知となっている（特許文献６参照）。
【特許文献１】特開２０００−１５９４２７号公報
【特許文献２】特開２０００−３３５８１４号公報
【特許文献３】特開平１０−２９７５８号公報
【特許文献４】特開平９−２２７０１７号公報
【特許文献５】実開平６−６１８６０号公報
【特許文献６】特開平２−８１８６１号公報
【発明の開示】
【発明が解決しようとする課題】
【０００４】
しかしながら、ほとんどの粘着テープ切断装置は、分離した粘着テープの先端が紙片からはみ出す構造となっている。このような装置で切り取った粘着テープを一度使用した場合、紙片をタブ（つまみ）として粘着テープをはがす作業が容易でなくなる。
【０００５】
なお、特許文献４に開示された粘着テープ切断装置の場合、分離後の粘着テープの先端が紙片からはみ出すことはないかも知れないが、紙片を粘着テープの先端に確実に接着させることができない。
【０００６】
そこで、本発明は、紙片を粘着テープの先端に確実に接着させることができ、粘着テープの先端が紙片からはみ出すこと簡易に防止できる粘着テープ切断装置を提供することを目的とする。
【課題を解決するための手段】
【０００７】
上記課題を解決するため、本発明に係る粘着テープ切断装置は、（ａ）ロール状の粘着テープを回転自在に保持するテープ保持部と、（ｂ）テープ保持部から粘着テープの引き出し方向において、粘着テープの先端部分の粘着面を支持するように配置される支持部と、（ｃ）剥離促進用の複数の紙片を保持して当該複数の紙片のうち１枚の紙片を裏面側から支持して端部に露出させるとともに、当該１枚の紙片を支持部に対して引き出し方向に近接する貼付位置に供給可能である紙片供給部と、（ｄ）支持部に対して引き出し方向に近接する切断位置に配置可能であるとともに、当該切断位置において粘着テープの切断を許容するテープ切断部と、（ｅ）テープ切断部との干渉を避けるように動作することによって、貼付位置に支持された１枚の紙片と当該１枚の紙片に対向して配置される粘着テープの先端部分とを密着させる密着手段とを備える。
【０００８】
上記粘着テープ切断装置では、密着手段が、貼付位置に支持された１枚の紙片と当該１枚の紙片に対向して配置される粘着テープの先端部分とを密着させるので、紙片を粘着テープの先端部分に確実に接着させることができる。この際、密着手段がテープ切断部との干渉を避けるように動作するので、粘着テープの先端が紙片からはみ出すこと防止しやすくなる。つまり、テープ切断部に係止された粘着テープの先端がテープ切断部から離れた位置で紙片に接着されるので、結果的に、粘着テープ先端のはみ出しを防止できる。
【０００９】
上記紙片供給部の別の構成例として、複数の紙片を束状に装填する紙片収納箱と、端部に設けた紙片収納箱の開口の周囲に形成されて複数の紙片の最上層に位置する１枚の紙片を取り出し可能に係止する紙片係止部と、紙片収納箱中の複数の紙片を端部の開口の方向に付勢する付勢部材とを備えるものとできる。
【００１０】
なお、以上のような紙片供給部において、紙片収納箱を着脱可能とすることができ、この場合、紙片収納箱を使い捨てタイプとすることもできる。
【００１１】
また、上記装置において、具体的には、紙片供給部が、複数の紙片を束状に装填する容器部と、複数の紙片を端部に設けた開口の方向に付勢する付勢部材と、端部の開口の周囲に形成されて複数の紙片の最上層に位置する１枚の紙片を取り出し可能に係止する紙片係止部とを有する紙片収納箱を備える。この場合、次の貼付の対象となる１枚の紙片を紙片供給部の端部に連続的に供給することがでできる。
【００１２】
また、上記装置において、好ましくは、密着手段によって１枚の紙片と粘着テープの先端部分とを密着させる際に、テープ切断部と紙片供給部の端部との干渉を回避するべく、テープ切断部を貼付位置と略重複している切断位置から引き出し方向にある退避位置に変位可能にする可動部材をさらに備える。この場合、テープ切断部の変位によって、テープ切断部と紙片供給部の端部との干渉を回避でき、粘着テープ先端のはみ出しを確実に防止できる。
【００１３】
また、上記装置において、好ましくは、可動部材が、退避位置に変位したテープ切断部を切断位置に戻す力を付与する復元手段を有し、１枚の紙片を貼付位置に配置する際の紙片供給部の動作に応じてテープ切断部が復元手段に抗して切断位置から退避位置に変位することを許容する。この場合、紙片供給部の動作に応じてテープ切断部を切断位置と退避位置との間で往復移動させることができる。
【００１４】
また、上記装置において、好ましくは、密着手段が、粘着テープの先端部分を挟んで紙片供給部の端部によって貼付位置に支持された１枚の紙片に対向するとともに先端部分を非粘着面側から押圧可能な押圧部材と、当該押圧部材に連動して１枚の紙片を支持する端部を先端部分の粘着面に付勢する連動部材とを備える。この場合、押圧部材を粘着テープの先端部分側に変位させることで粘着テープの先端部分と１枚の紙片とを両側から挟んで圧着することができる。
【００１５】
また、上記装置において、好ましくは、テープ切断部が、紙片供給部の端部上方に１枚の紙片に近接する状態で立設されており、密着手段が、粘着テープの先端部分を挟んでテープ切断部を避けるように紙片供給部の端部に対向するとともに先端部分を非粘着面側から押圧可能な押圧部材を有する。この場合、テープ切断部を独立して変位させる手段を設けることなく、テープ切断部と密着手段等との干渉を回避することができる。
【発明を実施するための最良の形態】
【００１６】
〔第１実施形態〕
図１は、第１実施形態の粘着テープ切断装置を説明する斜視図である。この粘着テープ切断装置１０は、下部に配置される基台１２と、基台１２上の一端に立設されたテープ保持部２０と、基台１２上の他端に立設されたスリーブ状の支柱３０と、支柱３０内部の空間ＩＳに収納された紙片収納箱４０と、支柱３０上部に取り付けられた支持部材５０と、支柱３０側壁に支持された可動部材６０と、可動部材６０に取り付けられて揺動するテープ切断部６５と、支持部材５０に取り付けられて回動する圧着板７０と、圧着板７０に連結されたリンク７５とを備える。
【００１７】
テープ保持部２０は、粘着テープ２を回転自在かつ着脱可能に保持するスプール２１を上部に有する。
【００１８】
支柱３０は、外観が角柱状の筒体であり、同様に角柱状の紙片収納箱４０が内部で摺動可能になっており、紙片収納箱４０の滑らかな昇降を許容する。支柱３０の正面には、紙片収納箱４０の側面から延びる紙片挿入レバー４１の運動を許容するスリット３１と、紙片収納箱４０の側面に形成された紙片挿入口４２を外部に連通させる外側挿入口３２とが形成されている。また、支柱３０の裏面には、図示を省略しているが、紙片収納箱４０の下部から後方に延びる昇降部材４３の運動を許容するスリットも形成されている。
【００１９】
紙片収納箱４０は、図２〜図５に示すように、束状にされた複数の紙片ＴＳを装填する容器部４５と、複数の紙片ＴＳを紙片収納箱４０端部に設けた開口４５ａの方向に付勢する付勢部材４６と、紙片収納箱４０端部の開口４５ａの周囲に形成されて複数の紙片ＴＳの最上層に位置する１枚の紙片ＴＳ１を取り出し可能に係止する枠状の紙片係止部４７とを有する。なお、紙片収納箱４０は、支柱３０とともに、紙片ＴＳ１を貼付位置に供給するための紙片供給部として機能する。紙片収納箱４０において、容器部４５は、付勢部材４６を収納しており、付勢部材４６と枠状の紙片係止部４７との間に複数の紙片ＴＳを保持している。付勢部材４６は、容器部４５内で上下に昇降する付勢板４６ａと、付勢板４６ａを上方に押し上げるコイルばね４６ｂと、付勢板４６ａの下方から延びる紙片挿入レバー４１とを備える。紙片係止部４７は、枠体４７ａの対向する隅部分に係止片４７ｂを備え、最上層の１枚の紙片ＴＳ１の対向する隅部分においてかかる紙片ＴＳ１の上昇を防止するが、この１枚の紙片ＴＳ１のみを剥がすように取り去ることができる。一方、ユーザが紙片挿入レバー４１を指で強制的に下方に押し下げるならば、付勢板４６ａと紙片係止部４７との間に十分な空間を確保することができ、複数の束状の紙片ＴＳを充填することができるようになっている。
【００２０】
図１に戻って、支持部材５０は、支柱３０のテープ保持部２０側、すなわちテープ保持部２０のテープ引き出し方向に、粘着テープ２の先端部分２ａの下側の粘着面を支持するように配置される支持部５１を有する。また、支持部材５０は、支柱３０上端の背後、すなわち粘着テープ２の先端部分２ａの経路の傍らに圧着板７０を支持する軸受５３を有する。前者の支持部５１の上面は、支柱３０の上端よりも数ミリ程度高い位置に配置される。これにより、粘着テープ２の先端部分２ａを、支柱３０上に露出する紙片収納箱４０上端よりも高い位置すなわち貼付位置に保持することができる。なお、テープ切断部６５の上端も、図示の状態で支持部５１の上面と略高さが一致するようになっている。一方、後者の軸受５３は、圧着板７０が直立した退避状態と、水平に倒された圧着状態との間で変位可能になるようにしている。
【００２１】
可動部材６０は、支柱３０のテープ引き出し方向の側壁に枢支されて、粘着テープ２の先端部分２ａの延在するテープ引き出し方向に垂直な水平回転軸６１のまわりに回動可能となっている。可動部材６０には、支柱３０を囲むようにフレーム部材６２が設けられており、フレーム部材６２のテープ保持部２０側には、下端が基台１２に固定されたばね６３の上端が固定されている。これにより、可動部材６０に対し反時計方向に回転する力を付与することができる。可動部材６０のうちフレーム部材６２の反対側には、テープ切断部６５が傾斜した状態で固定・支持されている。
【００２２】
テープ切断部６５は、可動部材６０に支持されて反時計方向の限界に位置しており、通常は図１に示すように支持部５１側に突起した状態、すなわち紙片収納箱４０の上方に張り出すような状態（切断位置）に保持される。一方、紙片収納箱４０が上昇して上端の紙片係止部４７が支持部５１の上面に近い位置に達すると、紙片収納箱４０の変位を許容するようにテープ切断部６５が全体的にテープ引き出し方向に押され、可動部材６０が時計方向に回転する。つまり、テープ切断部６５が、復元手段であるばね６３の力に抗して切断位置（図１参照）から退避位置（図２参照）に変位する。なお、テープ切断部６５が退避位置にある場合、テープ切断部６５上端のカッターは、紙片収納箱４０の上方すなわち１枚の紙片ＴＳ１の内側領域上方に配置されるので、粘着テープ２の先端部分２ａの最端部２ｄは、下方から上昇する１枚の紙片ＴＳ１に収まる状態となっている。つまり、紙片収納箱４０を先端部分２ａの位置まで上昇させた場合、１枚の紙片ＴＳ１からはみ出さないようにこの紙片ＴＳ１に先端部分２ａが貼り付けられる。
【００２３】
圧着板７０は、手動で操作する押圧部材であり、水平に回動した圧着状態で粘着テープ２の先端部分２ａの上面を均一に押圧するスポンジ状のパッド７１を備える。図示のように直立した退避状態の圧着板７０をパッド７１の反対側からユーザが指で押すことにより、図２に示すように水平に倒された圧着状態に変位する。圧着状態では、圧着板７０が粘着テープ２の先端部分２ａを挟んで容器部４５上端の紙片係止部４７に露出する１枚の紙片ＴＳ１に対向し、この紙片ＴＳ１をパッド７１を介して先端部分２ａの非粘着面側から押圧することができる。
【００２４】
リンク７５は、圧着板７０に連動する連動部材であり、一端７５ａが圧着板７０の軸受５３側から延びる延設部材７２に回動可能に連結されており、他端７５ｂが紙片収納箱４０の下端から延びる昇降部材４３の端部に回動可能に連結されている。リンク７５上部には、ばね７６の一端が固定され、ばね７６の他端は、基台１２側に固定されている。これにより、圧着板７０を起立した退避状態からばね７６の力に抗して水平な圧着状態に回転変位させることになるが、圧着板７０から指を離すと、圧着板７０が自動的に圧着状態から退避状態に復帰するようになる。圧着板７０を退避状態から圧着状態に回転変位させた場合、リンク７５に連動する昇降部材４３が上昇して、紙片収納箱４０を支柱３０上端から突起させることができる。この結果、紙片収納箱４０の上端に露出する１枚の紙片ＴＳ１が粘着テープ２の先端部分２ａの存在する貼付位置まで上昇することになり、粘着テープ２の先端部分２ａと１枚の紙片ＴＳ１とを、圧着板７０と紙片収納箱４０とによって上下両側から挟むように押圧することができ、先端部分２ａに紙片ＴＳ１を確実に固定することができる。
【００２５】
以下、本実施形態の粘着テープ切断装置１０の動作について説明する。まず、図１の状態で、粘着テープ２の処理完了部２ｘを切断する。この操作は、通常の装置と同様であり、処理完了部２ｘの先端のタブ紙片ＴＳ０を一定の張力で引っ張りながら下方に移動させることで、テープ切断部６５が機能し、処理完了部２ｘから粘着テープ２から分離される。この結果、残った粘着テープ２の先端部分２ａは、その最端部２ｄがその粘着力によってテープ切断部６５の上端に係止される。なお、先端部分２ａの根元側は、支持部５１によって支持されており、先端部分２ａが水平に延びる状態に保たれる。
【００２６】
次に、圧着板７０を指で押して回転させ、退避状態から圧着状態に回転変位させることにより、紙片収納箱４０が上昇して紙片ＴＳ１が貼付位置まで上昇し、紙片収納箱４０の上部に押されてテープ切断部６５が切断位置から退避位置に移動する。つまり、テープ切断部６５上端のカッターをテープ引き出し方向に変位させる。これにより、圧着板７０とテープ切断部６５との干渉が回避され、圧着板７０と紙片収納箱４０との間に先端部分２ａと紙片ＴＳ１とを上下から挟んで圧着することができ、先端部分２ａに最端部２ｄからはみ出すように紙片ＴＳ１を固定することができる（図２参照）。
【００２７】
圧着板７０を離すと、圧着板７０が自動的に圧着状態から退避状態に回転変位して戻り、紙片収納箱４０が降下して支柱３０に収納される。これに応じて、テープ切断部６５が退避位置から切断位置に変位して、紙片収納箱４０上方に張り出すように配置される。この状態から、粘着テープ２を引き出して先端部分２ａをテープ引き出し方向に移動させることで、図１に示す状態に戻る。
【００２８】
なお、圧着板７０を用いないで、粘着テープ２を引き出し、先端部分２ａをテープ切断部６５でカットすることもできる。この場合、粘着テープ切断装置１０は、紙片ＴＳ１を付着させない通常タイプの粘着テープ切断装置として使用されることになる。
【００２９】
〔第２実施形態〕
以下、第２実施形態の粘着テープ切断装置について説明する。この装置は、第１実施形態の粘着テープ切断装置を変形したものであり、同一の部分には同一の符合を付して重複説明を省略する。また、特に説明しない部分については同様の構造を有するものとする。
【００３０】
図６は、第２実施形態の粘着テープ切断装置１１０を説明する斜視図である。この場合、図１等に示す可動部材６０に対応する可動部材１６０が、圧着板７０に連動するウォーム・ラック機構１６１と、支柱３０の上端に紙片収納箱４０との干渉を避けて形成されたテープ切断部６５用のガイド部材１６２とを備える。圧着板７０を倒すように回転させて圧着状態にすると、ウォーム・ラック機構１６１が動作して、ウォーム・ラック機構１６１に連結されたテープ切断部６５がテープ引き出し方向に移動する。結果的に、テープ切断部６５は、ガイド部材１６２に案内されて切断位置から退避位置に移動する。圧着板７０を離すと逆の現象が生じる。すなわち圧着板７０が起立した退避状態に戻って、ウォーム・ラック機構１６１に連結されたテープ切断部６５が図示のように退避位置から切断位置に戻る。
【００３１】
〔第３実施形態〕
以下、第３実施形態の粘着テープ切断装置について説明する。この装置は、第１実施形態の粘着テープ切断装置を変形したものであり、特に説明しない部分については同様の構造を有するものとする。
【００３２】
図７は、第３実施形態の粘着テープ切断装置２１０を説明する斜視図である。この場合、図１等に示す可動部材６０に対応する可動部材２６０が、紙片収納箱４０に連動するラックピニオン機構２６１と、ラックピニオン機構２６１の扇型歯車２６１ａから延びる第１回動アーム２６２と、支柱３０裏面に枢支された第２回動アーム２６３とを有する。ラックピニオン機構２６１のうち、扇型歯車２６１ａは、支柱３０正面に回動自在に固定されており、ラック部材２６１ｂは、紙片収納箱４０正面の側面に立設され、支柱３０正面に形成されたスリット３０ｓから突起して扇型歯車２６１ａと噛み合わさっている。両回動アーム２６２，２６３は、上端にテープ切断部６５を支持しており、協働してテープ切断部６５を変位させる。なお、この場合、紙片挿入レバー４１等が、ラックピニオン機構２６１を避けて、支柱３０の側面側に設けられている。
【００３３】
圧着板７０を倒すように回転させて圧着状態にすると、ラックピニオン機構２６１が動作して、ラックピニオン機構２６１に連結された第１回動アーム２６２を介してテープ切断部６５がテープ引き出し方向に移動する。結果的に、テープ切断部６５は、切断位置から退避位置に移動する。圧着板７０を離すと逆の現象が生じる。すなわち圧着板７０が起立した退避状態に戻って、ラックピニオン機構２６１に連結された第１回動アーム２６２等に支持されたテープ切断部６５が図示のように退避位置から切断位置に戻る。
【００３４】
〔第４実施形態〕
以下、第４実施形態の粘着テープ切断装置について説明する。この装置は、第１実施形態の粘着テープ切断装置を変形したものであり、特に説明しない部分については同様の構造を有するものとする。
【００３５】
図８は、第４実施形態の粘着テープ切断装置３１０を説明する斜視図である。この場合、図１等に示す可動部材６０に対応する可動部材３６０が、復元手段である板ばね状の支持部材からなり、可動部材３６０に支持されたテープ切断部６５が紙片収納箱４０の上方にせり出す。圧着板７０を倒すように回転させて圧着状態にすると、連動して紙片収納箱４０が上昇し、紙片収納箱４０の上端にテープ切断部６５や可動部材３６０が押されてテープ切断部６５が切断位置から退避位置に移動する。圧着板７０を離すと逆の現象が生じる。すなわち圧着板７０が起立した退避状態に戻って紙片収納箱４０が降下し、テープ切断部６５等が開放されるので、テープ切断部６５が図示のように退避位置から切断位置に戻る。
【００３６】
〔第５実施形態〕
以下、第５実施形態の粘着テープ切断装置について説明する。この装置は、第１実施形態の粘着テープ切断装置を変形したものであり、特に説明しない部分については同様の構造を有するものとする。
【００３７】
図９は、第５実施形態の粘着テープ切断装置４１０を説明する斜視図である。この場合、図１等に示す可動部材６０に対応する可動部材４６０が、紙片収納箱４０に立設されたガイドピン４６１と、ガイドピン４６１が摺動するガイド溝を備える一対のアーム４６２とを備える。ガイドピン４６１は、紙片収納箱４０に固定されているが、両アーム４６２は、下端側で支柱３０の正面及び裏面に回動自在に固定されている。両アーム４６２は、上端にテープ切断部６５を支持しており、協働してテープ切断部６５を変位させる。
【００３８】
圧着板７０を倒すように回転させて圧着状態にすると、ガイドピン４６１がアーム４６２に形成されたガイド溝を移動し、両アーム４６２が回動するので、テープ切断部６５がテープ引き出し方向に移動する。結果的に、テープ切断部６５は、切断位置から退避位置に移動する。圧着板７０を離すと逆の現象が生じる。すなわち圧着板７０が起立した退避状態に戻って、ガイドピン４６１に駆動された両アーム４６２を介してテープ切断部６５が図示のように退避位置から切断位置に戻る。
【００３９】
〔第６実施形態〕
以下、第６実施形態の粘着テープ切断装置について説明する。この装置は、第１実施形態の粘着テープ切断装置を変形したものであり、特に説明しない部分については同様の構造を有するものとする。
【００４０】
図１０は、第６実施形態の粘着テープ切断装置５１０を説明する一部破断斜視図である。この場合、図１等に示すリンク７５に対応する連動部材５７５が、圧着板７０に連動するラックピニオン機構５７６と、紙片収納箱４０の下端から延びる昇降部材４３を下方に引っ張るばね５７７とを備える。圧着板７０を倒すように回転させて圧着状態にすると、圧着板７０に固定された扇型歯車を備えるラックピニオン機構５７６が動作して、ラックピニオン機構５７６に連結された紙片収納箱４０が上昇し、テープ切断部６５が切断位置から退避位置に移動する。圧着板７０を離すと逆の現象が生じる。すなわち紙片収納箱４０が降下し、ラックピニオン機構５７６に連結された圧着板７０が起立した退避状態に戻って、テープ切断部６５が図示のように退避位置から切断位置に戻る。
【００４１】
〔第７実施形態〕
以下、第７実施形態の粘着テープ切断装置について説明する。この装置は、第１実施形態の粘着テープ切断装置を変形したものであり、特に説明しない部分については同様の構造を有するものとする。
【００４２】
図１１は、第７実施形態の粘着テープ切断装置６１０を説明する一部破断斜視図である。この場合、図１等に示すリンク７５に対応する連動部材６７５が、圧着板７０に連動する２ラック型の複合ラックピニオン機構６７６と、紙片収納箱４０の下端から延びる昇降部材４３を下方に引っ張るばね６７７とを備える。圧着板７０を倒すように回転させて圧着状態にすると、複合ラックピニオン機構６７６が動作して、複合ラックピニオン機構６７６に連結された紙片収納箱４０が上昇し、テープ切断部６５が切断位置から退避位置に移動する。なお、圧着板７０を離すと、圧着板７０は、その姿勢のままで上昇し、これに連結された複合ラックピニオン機構６７６が動作して紙片収納箱４０が降下し、テープ切断部６５が図示のように退避位置から切断位置に戻る。その後、指で圧着板７０を起こすことにより、圧着板７０を起立した退避状態に戻すことができる。
【００４３】
〔第８実施形態〕
以下、第８実施形態の粘着テープ切断装置について説明する。この装置は、第１実施形態の粘着テープ切断装置を変形したものであり、特に説明しない部分については同様の構造を有するものとする。
【００４４】
図１２は、第８実施形態の粘着テープ切断装置７１０を説明する一部破断斜視図である。この場合、図１等に示すリンク７５に対応する連動部材７７５が、圧着板７０に連動する第１ラックピニオン機構７７６と、紙片収納箱４０に連動する第２ラックピニオン機構７７７と、紙片収納箱４０の下端から延びる昇降部材４３を下方に引っ張るばね７７８と、支柱３０の正面に上下に摺動可能に取り付けられた押しノブ７７９とを有する。押しノブ７７９を押し下げると、押しノブ７７９の背後に設けたラック部７７９ａが降下して、第２ラックピニオン機構７７７が動作する。これにより、第２ラックピニオン機構７７７に連結された紙片収納箱４０が上昇し、テープ切断部６５が切断位置から退避位置に移動する。また、第２ラックピニオン機構７７７に連結された第１ラックピニオン機構７７６が動作して、紙片収納箱４０の上昇と同期して圧着板７０を倒すように回転させて圧着状態にする。押しノブ７７９を離すと逆の現象が生じる。すなわち紙片収納箱４０が降下し、第２ラックピニオン機構７７７を介して押しノブ７７９が上昇するとともに圧着板７０が起立した退避状態となって、テープ切断部６５が図示のように退避位置から切断位置に戻る。
【００４５】
〔第９実施形態〕
以下、第９実施形態の粘着テープ切断装置について説明する。この装置は、第１実施形態の粘着テープ切断装置を変形したものであり、特に説明しない部分については同様の構造を有するものとする。
【００４６】
図１３は、第９実施形態の粘着テープ切断装置８１０を説明する一部破断斜視図である。この場合、図１等に示すリンク７５に対応する連動部材８７５が、圧着板７０及び紙片収納箱４０に連動する複合ラックピニオン機構８７６と、紙片収納箱４０の下端から延びる昇降部材４３を下方に引っ張るばね８７８と、支柱３０の正面に上下に摺動可能に取り付けられた押しノブ８７９とを備える。押しノブ８７９を押し下げると、押しノブ８７９の背後に設けたラック部８７９ａが降下して、複合ラックピニオン機構８７６が動作する。これにより、複合ラックピニオン機構８７６に連結された紙片収納箱４０が上昇し、テープ切断部６５が切断位置から退避位置に移動する。また、紙片収納箱４０の上昇と同期して、複合ラックピニオン機構８７６に連結された圧着板７０を降下させて圧着状態にする。押しノブ８７９を離すと逆の現象が生じる。すなわち紙片収納箱４０が降下し、複合ラックピニオン機構８７６を介して押しノブ８７９が上昇するとともに圧着板７０が上昇した退避状態となって、テープ切断部６５が図示のように退避位置から切断位置に戻る。
【００４７】
〔第１０実施形態〕
以下、第１０実施形態の粘着テープ切断装置について説明する。この装置は、第１実施形態の粘着テープ切断装置を変形したものであり、特に説明しない部分については同様の構造を有するものとする。
【００４８】
図１４は、第１０実施形態の粘着テープ切断装置９１０を説明する一部破断斜視図である。この場合、図１等に示すリンク７５に対応する連動部材９７５が、圧着板７０に連動する第１ラックピニオン機構９７６と、紙片収納箱４０に連動する第２ラックピニオン機構９７７と、第２ラックピニオン機構９７７を駆動するモータ９７９とを有する。モータ９７９を駆動して第２ラックピニオン機構９７７のピニオンを時計方向に回転させると、第２ラックピニオン機構９７７が動作して、第２ラックピニオン機構９７７に連結された紙片収納箱４０が上昇し、テープ切断部６５が切断位置から退避位置に移動する。また、第２ラックピニオン機構９７７に連結された第１ラックピニオン機構９７６が動作して、圧着板７０を倒すように回転させ圧着状態にする。一方、モータ９７９を逆に駆動して第２ラックピニオン機構９７７のピニオンを反時計方向に回転させると逆の現象が生じる。すなわち第２ラックピニオン機構９７７が逆に動作して、第２ラックピニオン機構９７７に連結された紙片収納箱４０が降下し、第１ラックピニオン機構９７６に連結された圧着板７０が起立した退避状態となって、テープ切断部６５が図示のように退避位置から切断位置に戻る。
【００４９】
〔第１１実施形態〕
以下、第１１実施形態の粘着テープ切断装置について説明する。この装置は、第１実施形態の粘着テープ切断装置を変形したものであり、特に説明しない部分については同様の構造を有するものとする。
【００５０】
図１５は、第１１実施形態の粘着テープ切断装置１０１０を説明する斜視図であり、図１６は、図１５の粘着テープ切断装置１０１０の正面断面図である。この場合、図１等に示す可動部材６０に対応するものを設けず、テープ切断部１０６５を紙片収納箱４０上端に固定している。具体的には、紙片収納箱４０の上端に設けた紙片係止部４７のテープ引き出し方向の縁部分に、矩形板状のテープ切断部１０６５の根元が接続されている。これにより、テープ切断部１０６５は、紙片収納箱４０上端の紙片ＴＳ１上方にはみ出すように配置される。また、圧着板１０７０は、テープ引き出し方向の幅を細くして、テープ切断部１０６５との干渉を避けている。
【００５１】
圧着板１０７０を倒すように回転させて圧着状態にすると、連動して紙片収納箱４０が上昇し、これに伴ってテープ切断部１０６５が圧着板１０７０とすれ違うように上昇する。これにより、紙片ＴＳ１に粘着テープ２の先端部分２ａが密着するが、テープ切断部１０６５が紙片ＴＳ１の内側領域上方にはみ出すように配置されるとともに先端部分２ａが支持部５１より下側に押されることから、先端部分２ａに最端部からはみ出すように紙片ＴＳ１を固定することができる。圧着板１０７０を離すと逆の現象が生じる。すなわち圧着板１０７０が起立した退避状態となって、紙片収納箱４０が降下し、支持部５１に支持された粘着テープ２の先端部分２ａが紙片ＴＳ１とともに紙片係止部４７から離脱してテープ切断部１０６５上端の高さまで復帰する。
【００５２】
〔第１２実施形態〕
以下、第１２実施形態の粘着テープ切断装置について説明する。この装置は、第１１実施形態の粘着テープ切断装置を変形したものであり、特に説明しない部分については同様の構造を有するものとする。
【００５３】
図１７は、第１２実施形態の粘着テープ切断装置１１１０を説明する斜視図であり、図１８は、図１７の粘着テープ切断装置１１１０の正面断面図である。この場合、比較的高さの低いテープ切断部１１６５を紙片収納箱４０上端に固定している。これにより、テープ切断部１１６５は、紙片収納箱４０上端の紙片ＴＳ１上方にはみ出すように配置される。また、圧着板７０は、テープ引き出し方向の幅を第１実施形態のように広く戻して、圧着状態でテープ切断部１０６５の上端がストッパになるようにしている。この場合、第１実施形態のようなリンク７５を設けておらず、支柱１１３０自体が、昇降運動しない紙片収納箱として機能する。つまり、支柱１１３０は、内部の空間ＩＳ中に複数の紙片ＴＳを上方に付勢する付勢部材１１４６と、紙片収納箱４０端部の開口４５ｂの周囲に形成されて複数の紙片ＴＳの最上層に位置する１枚の紙片ＴＳ１を取り出し可能に係止する枠状の紙片係止部１１４７とを有する。なお、付勢部材１１４６には、紙片挿入レバー４１が連結されている。
【００５４】
圧着板１１７０を倒すように回転させて圧着状態にすると、圧着板１１７０のパッド１１７１に押されて、粘着テープ２の先端部分２ａが紙片ＴＳ１に密着する。これにより、先端部分２ａに対し最端部からはみ出すように紙片ＴＳ１を固定することができる。圧着板１１７０を離すと逆の現象が生じる。すなわち圧着板１０７０が起立した退避状態となる。この際、支持部５１に支持された粘着テープ２の先端部分２ａが紙片ＴＳ１とともに紙片係止部１１４７から離脱する。
【００５５】
〔第１３実施形態〕
以下、第１３実施形態の粘着テープ切断装置について説明する。この装置は、第１実施形態の粘着テープ切断装置を変形したものであり、特に説明しない部分については同様の構造を有するものとする。
【００５６】
図１９は、第１３実施形態の粘着テープ切断装置１２１０を説明する斜視図である。この場合、支柱１２３０の正面に開閉扉１２３０ｇが形成されており、紙片収納箱１２４０が着脱自在のカートリッジとなっている。なお、テープ切断部６５を支持する可動部材６０は、開閉扉１２３０ｇとの干渉を避けるような形状となっているが、機能的には全く同様の働きを有する。
【００５７】
図２０は、紙片収納箱１２４０の固定及び昇降を説明する部分破断斜視図である。紙片収納箱１２４０の下部は、昇降部材１２４３のホルダ１２４３ａに着脱可能に固定されている。すなわち、ホルダ１２４３ａの内面には、横方向に延在するスライド溝１２４３ｄが形成され、紙片収納箱１２４０の下部側面には、横方向に延在するスライド凸条１２４３ｅが形成されており、紙片収納箱１２４０を手前に移動させることで、ホルダ１２４３ａから紙片収納箱１２４０を引出すことができる。また、紙片収納箱１２４０の底面は、ホルダ１２４３ａ底部に設けた板バネ１２４３ｆによって上方に付勢されており、紙片収納箱１２４０の保持を確実なものとしている。なお、ホルダ１２４３ａを備える昇降部材１２４３は、リンク７５を介して圧着板７０に連結されている。つまり、圧着板７０を回転させて退避状態から圧着状態に回転変位させることにより、紙片収納箱１２４０が上昇してテープ切断部６５を切断位置から退避位置に変位させる。一方、圧着板７０を離すと、圧着板７０が自動的に圧着状態から退避状態に回転変位して戻り、紙片収納箱１２４０が降下してテープ切断部６５が退避位置から切断位置に変位する。
【００５８】
図２１は、紙片収納箱１２４０の断面図である。紙片収納箱１２４０は、複数の紙片ＴＳを装填する容器部１２４５と、複数の紙片ＴＳを紙片収納箱１２４０端部に設けた開口の方向に付勢する付勢部材１２４６と、紙片収納箱１２４０端部の開口の周囲のうちコーナ付近に形成されて紙片ＴＳを上から一枚ずつ着脱可能に係止するの紙片係止部１２４７とを備える。ここで、付勢部材１２４６は、容器部１２４５内で上下に昇降する付勢板４６ａと、付勢板４６ａを上方に押し上げるコイルばね４６ｂとを有する。この場合、紙片収納箱１２４０は使い捨てとなっている。
【００５９】
〔第１４実施形態〕
以下、第１４実施形態の粘着テープ切断装置について説明する。この装置は、第１３実施形態の粘着テープ切断装置を変形したものであり、特に説明しない部分については同様の構造を有するものとする。
【００６０】
図２２は、第１４実施形態の粘着テープ切断装置の一部を説明する断面図である。この粘着テープ切断装置では、図２１の紙片収納箱１２４０に対応する紙片収納箱１３４０の容器部１３４５の底部に、紙片ＴＳを交換するための蓋１３４５ｊが形成されている。この場合、蓋１３４５ｊを開いて付勢部材１２４６を構成する付勢板４６ａとコイルばね４６ｂとを引き抜くことにより、束状の紙片ＴＳを新たに充填することができる。つまり、紙片収納箱１３４０は再生タイプとなっている。
【００６１】
〔第１５実施形態〕
以下、第１５実施形態の粘着テープ切断装置について説明する。この装置は、第１３実施形態の粘着テープ切断装置を変形したものであり、特に説明しない部分については同様の構造を有するものとする。
【００６２】
図２３は、第１５実施形態の粘着テープ切断装置１４１０を説明する斜視図である。この場合、支柱１４３０の正面上部に開閉扉１４３０ｇが形成されており、開閉扉１４３０ｇの開放によって露出する紙片収納箱１４４０が着脱自在で使い捨てのカートリッジとなっている。この紙片収納箱１４４０は、紙片付勢部材１４４８を介して昇降部材１４４３に連結されており、紙片付勢部材１４４８とともに支柱１４３０内で滑らかに昇降可能となっている。
【００６３】
図２４は、紙片収納箱１４４０及び紙片付勢部材１４４８の構造及び昇降を説明する部分破断斜視図である。紙片収納箱１４４０の下部は、紙片付勢部材１４４８の上部に着脱可能に固定されている。すなわち、紙片付勢部材１４４８上部の係止部材１４４８ａの内面には、横方向に延在するスライド溝１４４８ｄが形成され、紙片収納箱１４４０の下部の側面には、横方向に延在するスライド凸条１４４０ｅが形成されており、紙片収納箱１４４０を手前に移動させることで、係止部材１４４８ａから紙片収納箱１４４０を引出すことができ、紙片収納箱１４４０と紙片付勢部材１４４８とを分離することができる。紙片付勢部材１４４８は、昇降部材１４４３及びリンク７５を介して圧着板７０に連結されている。つまり、圧着板７０を回転させて退避状態から圧着状態に回転変位させることにより、紙片付勢部材１４４８と紙片収納箱１４４０とが上昇してテープ切断部６５を切断位置から退避位置に変位させる。一方、圧着板７０を離すと、圧着板７０が自動的に圧着状態から退避状態に回転変位して戻り、紙片付勢部材１４４８と紙片収納箱１４４０とが降下してテープ切断部６５が退避位置から切断位置に変位する。
【００６４】
図２５は、紙片収納箱１４４０及び紙片付勢部材１４４８の正面断面図であり、図２６は、紙片収納箱１４４０及び紙片付勢部材１４４８の側方断面図である。紙片収納箱１４４０は、複数の紙片ＴＳを装填する容器部１４４５と、スライド凸条１４４０ｅの内側に形成された突起によって容器部１４４５の底部からの脱落が防止されている仕切板１４４９とを備える。一方、紙片付勢部材１４４８は、係止部材１４４８ａを上部に設けた筐体１４４８ｂと、紙片収納箱１４４０内の仕切板１４４９を紙片ＴＳとともに紙片収納箱１４４０の上端に設けた開口の方向に付勢する付勢部材１４４６とを備える。ここで、付勢部材１４４６は、筐体１４４８ｂ内で上下に昇降する付勢板１４４６ａと、付勢板１４４６ａを上方に押し上げるコイルばね１４４６ｂと、付勢板１４４６ａの下方から延びる紙片挿入レバー１４４１とを備える。ユーザが支柱１４３０の正面に突出させた紙片挿入レバー１４４１を指で強制的に下方に押し下げるならば、付勢部材１４４６を紙片収納箱１４４０の下方に待避させることができ、現在の紙片収納箱１４４０を新たな紙片収納箱１４４０と交換することができる。
【図面の簡単な説明】
【００６５】
【図１】第１実施形態に係る粘着テープ切断装置を説明する斜視図である。
【図２】図１の粘着テープ切断装置の一部を取り出して表示した図である。
【図３】紙片収納箱の構造を説明する一部破断斜視図である。
【図４】図１に示された粘着テープ切断装置の一部の側方断面図である。
【図５】図１に示された粘着テープ切断装置の一部の正面断面図である。
【図６】第２実施形態に係る粘着テープ切断装置を説明する斜視図である。
【図７】第３実施形態に係る粘着テープ切断装置を説明する斜視図である。
【図８】第４実施形態に係る粘着テープ切断装置を説明する斜視図である。
【図９】第５実施形態に係る粘着テープ切断装置を説明する斜視図である。
【図１０】第６実施形態に係る粘着テープ切断装置を説明する一部破断斜視図である。
【図１１】第７実施形態に係る粘着テープ切断装置を説明する一部破断斜視図である。
【図１２】第８実施形態に係る粘着テープ切断装置を説明する一部破断斜視図である。
【図１３】第９実施形態に係る粘着テープ切断装置を説明する一部破断斜視図である。
【図１４】第１０実施形態に係る粘着テープ切断装置を説明する一部破断斜視図である。
【図１５】第１１実施形態の粘着テープ切断装置を説明する斜視図である。
【図１６】図１５の粘着テープ切断装置の正面断面図である。
【図１７】第１２実施形態の粘着テープ切断装置を説明する斜視図である。
【図１８】図１７の粘着テープ切断装置の正面断面図である。
【図１９】第１３実施形態の粘着テープ切断装置を説明する斜視図である。
【図２０】図１９の粘着テープ切断装置の一部を取り出して表示した図である。
【図２１】図１９の粘着テープ切断装置の紙片収納箱を説明する図である。
【図２２】第１４実施形態に係る粘着テープ切断装置を説明する断面図である。
【図２３】第１５実施形態の粘着テープ切断装置を説明する斜視図である。
【図２４】図２３の粘着テープ切断装置の一部を取り出して表示した図である。
【図２５】図２３の粘着テープ切断装置の紙片収納箱等を説明する断面図である。
【図２６】図２３の粘着テープ切断装置の紙片収納箱等を説明する断面図である。
【符号の説明】
【００６６】
２…粘着テープ、  ２ａ…先端部分、  ２ｄ…最端部、  １０…粘着テープ切断装置、  １２…基台、  ２０…テープ保持部、  ３０…支柱、  ４０…紙片収納箱、  ４３…昇降部材、  ４５…容器部、  ４５ｂ…開口、  ４６…付勢部材、  ４７…紙片係止部、  ５０…支持部材、  ５１…支持部、  ６０…可動部材、  ６３…ばね、  ６５…テープ切断部、  ７０…圧着板、  ７１…パッド、  ７５…リンク、  ７６…ばね、  ＴＳ…紙片
【図１】
2006219213.tif 000003
【図２】
2006219213.tif 000004
【図３】
2006219213.tif 000005
【図４】
2006219213.tif 000006
【図５】
2006219213.tif 000007
【図６】
2006219213.tif 000008
【図７】
2006219213.tif 000009
【図８】
2006219213.tif 000010
【図９】
2006219213.tif 000011
【図１０】
2006219213.tif 000012
【図１１】
2006219213.tif 000013
【図１２】
2006219213.tif 000014
【図１３】
2006219213.tif 000015
【図１４】
2006219213.tif 000016
【図１５】
2006219213.tif 000017
【図１６】
2006219213.tif 000018
【図１７】
2006219213.tif 000019
【図１８】
2006219213.tif 000020
【図１９】
2006219213.tif 000021
【図２０】
2006219213.tif 000022
【図２１】
2006219213.tif 000023
【図２２】
2006219213.tif 000024
【図２３】
2006219213.tif 000025
【図２４】
2006219213.tif 000026
【図２５】
2006219213.tif 000027
【図２６】
2006219213.tif 000028